(57)【特許請求の範囲】
【請求項１】
本件汎用書見台は、本を固定するための用具である書見板（１）とその書見板を載置するための用具である書見板台（１０）との組合わせを以って構成されるもので、２枚の薄板片を以って構成されるこの書見板（１）は、１枚目の薄板片である基板（２）ともう１枚目の薄板片である挟板（３）とから構成され、その両薄板片は、その下部において粘着テープ（４）を以って蝶番状に貼り合わされ、その蝶番部を支点にして開閉できることを特徴とし、この２枚の薄板片からなる書見板（１）を蝶番部を支点にして開き、左右に開いた本の表紙部分（２２）を基板（２）の上に載せ、左右に開いた本の表紙部分のみをその上から挟板（３）を押し当てながらこの両薄板片を折り畳み、折り畳まれた両薄板片をその蝶番部と反対側の部分で本の本体を留めるための用具である本留用クリッパー（５）を以って両板を留めて本の本体を書見板（１）に固定することを特徴とするもので、２枚目の薄板片である挟板（３）の中央部にＵ字状に切開された凹部から本のページ部分（２３）を抜き出して挟板（３）の上でページ部分を左右に開き、開かれた本の左右のページ部分をページ部分を留めるための用具であるページ留め用クリッパー（６）を以って書見板（１）に留めることを特徴とする汎用書見台。
【請求項２】
上記書見板台（１０）は、本を装着した上記書見板（１）を机上書見から枕上書見までの読書形態に応じて最も書見しやすい場所に固定するための用具で、書見板（１）の蝶番部をこの書見板台の底板（１２）の上に載置したり、この書見板台（１０）の左右の柱状部の上部に穿設された書見板の下部が挿入される溝（１７）に挿入したりして書見板（１）と書見板台（１０）の両者を組合わせ一体化させて汎用書見を可能とすることを特徴とする請求項１記載の汎用書見台。
【請求項３】
机上や膝上で書見するときは、本を装着した上記書見板（１）の蝶番部を上記書見板台の底板（１２）の上に載置し、書見板（１）を最も書見し易い傾斜角度にして書見板（１）の背面を上記書見板台（１０）の柱状部の前面に凭れ掛けるとともに、書見板（１）が必要以上に前滑りしないように書見板（１）の蝶番部を書見板台の底板（１２）の上に設けられた書見板の前滑り止める山（１３）で止めて固定して書見できることを特徴とする請求項１又は２記載の汎用書見台。
【請求項４】
寝床やソファーベッド等枕上で仰臥して書見するときは、上記書見板台（１０）を胸上に置き、本を装着した上記書見板（１）の正面が仰臥した顔面に対面できるように、書見板の蝶番部を書見板台の左右柱状部の上部に穿設された書見板の下部が挿入される溝（１７）に挿入し、併せて、書見板を下から支える支持板（１８）を以って書見板（１）を下支えして固定し、また、書見板台（１０）の下部の左右に角棒状に設けられた書見板台の脚部（１６）を使うことによって本件汎用書見台を胸上に安定的に載置して書見できることを特徴とし、さらに、寝床や畳、絨毯の上など枕上で横臥して書見するときは、上記書見板台（１０）を枕上横の畳みなど床の上に置き、本を装着した上記書見板（１）を横に倒して、横倒しにした書見板の側面を上記書見板台の底板（１２）の上に載置し、書見板（１）の背面を上記書見板台（１０）の柱状部の前面に凭れ掛けるとともに、書見板を下から支える支持板（１８）に固定する書見板留め用クリッパー（２４）で書見板を前倒れしないように固定して書見できることを特徴とする請求項１〜３のいずれかの項記載の汎用書見台。
【発明の詳細な説明】
【技術分野】
【０００１】本発明は、読者が最も楽な姿勢を選んで読書することを可能にするための汎用の書見台に関する。
【背景技術】
【０００２】従来の書見台は机の上で使う机上用か寝床などで使う枕上用に分かれているのが一般的である。【０００３】従来の机上用書見台は、本の保持や見開きページの固定に安定感を欠き、また、机上で読む本の傾斜角度の選択幅も限られているものが多い。【０００４】寝床などに臥して使う従来の枕上用書見台は、スタンドやアームを使って頭上で書物受台を吊るす装置などが仰々しく、寝室や枕元のリラックス感を損なってしまう。【０００５】また、従来の枕上用書見台は、その形状も大きくスペースを多く必要とし、読書スタンドを組み立てたり本を書物受台に装着したりする操作が煩わしい。【０００６】さらに、枕上読書から机上や膝上読書へ移行するときは、本を書物受台から外すのに手間がかかる上、寝床を上げた日中、大きな読書スタンドやアームの付いた書物受台などを整理し収納する場所も必要となる。
【発明の開示】
【発明が解決しようとする課題】
【０００７】体にとって絶対的に楽な姿勢というものはなく、どんなに楽な姿勢だと思っても同じ姿勢を長く続けていると必ず疲れがでてくること必定で、このことは読書の場合についても言える。【０００８】解決しようとする課題は、その場やその時々の体調などに合わせ、一つの書見台で、机上、膝上、枕上など最も楽な読書姿勢を選んで読書できること及び一つの本に没頭して長く続けて読書するとき、机上から膝上へ、あるいは机上から枕上へなど読書姿勢間の転換を簡単に時間をかけずに行えるようにすることである。
【課題を解決するための手段】
【０００９】本発明は、一般的に単体でできている書見台を書見板（１）と書見板台（１０）の二つに分離独立させ、書見板は、その下部が蝶番状に工作されて開閉折り畳み式になっている２枚の薄板片で構成され、書見板台は、その書見板を載置できるように作られている。【００１０】閉じられた本の表紙部分だけを左右に開き、開かれた表紙部分をこの蝶番状になっている両薄板片の１枚目の基板（２）の上に載せ、その上からもう１枚目の薄板片である挟板（３）を押し当てて挟み、表紙部分を挟んだ両薄板片をその蝶番部と反対側の部分において本を留めるための用具である本留め用クリッパー（５）を以って留めて本を書見板に固定する。【００１１】本が装着された００１０記載の書見板を書見板台の上に載せ置き、書見板（１）と書見板台（１０）を組み合わせることによって、机上や膝上、枕上などその時々で最も楽な姿勢で読書できるようにする。
【発明の効果】
【００１２】机上読書でも同じ姿勢を長く続けていれば疲れが出てくること前記のとおりである。【００１３】そのようなときは姿勢を少し前かがみにして机上に肘を着いたり、あるいは椅子に浅く腰掛けて背凭れに背中を大きく凭れさせたり、背凭れをリクライニングするなどその読書姿勢は千態万様である。【００１４】本汎用書見台は、机上での読書を例にとれば、本をセットした書見板（１）を、視線と本の紙面との角度が目に最も楽な位置の書見板の前滑りを止める山（１３）を選んで書見板台（１０）の底板（１２）の上に載置して、書見板の背面を書見板台の柱状部の前面に凭れ掛けて読書することを可能にする。【００１５】机上での読書に疲れたときは、この汎用書見台を持ってソファーやロッキングチェアー等へ移動して前記００１４に同じ操作をして膝上で読書したり、足組みした片脚を書見板台先端部に切開された組み上げた脚が入る底板の空間（１４）に入れて膝上で読書を続けることもでき、また、書見板を書見板台から外し、書見板のみ操って読書することもできる。【００１６】体重の約７０％の重みが腰の負担となるといわれる椅子に腰掛けて机上でする読書や膝上での読書は、腰痛を患っている者は言うに及ばず、高齢者や病弱者にも苦痛となる。【００１７】そのようなことから、腰痛持ちの者や高齢・病弱者に限らず健常者にとっても、腰や肩に負担がかからないゴロ寝をしてのあるいは寝床での読書は、読書家にとっては何にも代えがたい愉悦と言える。【００１８】究極の読書は枕上での読書とも言われ、机上や膝上での読書から枕上読書への移行は、本件汎用書見台を使えば、後述の実施例５（図１５、図１６）や実施例６（図１７、図１８）で示すように書見板と書見板台の組み合わせ変えるだけでいとも簡単に可能となる。【００１９】  また、いくつかの本を並行して読む読書家においては、あらかじめ、図７に示すように読みかけのページを見開き状態にした本を書見板にセットし、その書見板を書斎や寝室などの片隅に立掛けておけば、それら本をセットした書見板の一つを選んで単に書見板台の上に載せるだけで、即、机上や膝上、枕上での読書の世界に入ることができる。【００２０】  また、この書見板台（１０）には、その底板（１２）の上に、書見板台の手前で前後にスライドする筆記台（１１）を設けたので、机上や膝上での読書時には、その上に筆記用紙を載せ、本を見ながら気になったことや備忘のためのメモも楽にできることとなるが、このスライド式筆記台については、文献実願昭５７−１５３３８４号（実開昭５９−０５７１４２号）のマイクロフィルムや文献実公昭６２−００５７１４号公報に記載されているところから当業者にとって容易に思いつかれることとされるので、請求項には含めないこととする。
【発明を実施するための最良の形態】
【００２１】図３（正面図）、図４（平面図）、図５（右側面図）及び図６（背面図）に基づき図２（斜視図）に示した請求項１記載の書見板（１）を作る。【００２２】この書見板（１）は、週刊誌や学術書から単行本、新書や文庫本までの大きさの本を装着でき、書見板（１）には、上記のなかでも最も小さな本である文庫本の見開きページ部分を固定するページ留め用クリッパー（６）が入る切り欠き凹部が設けられている。【００２３】具体的には、図３（正面図）に示すとおり、書見板の左と右、左上と右上及び左斜め下と右斜め下の計６箇所にページ部分を留めるための用具であるページ留め用クリッパー（６）が入る切り欠き凹部が設けられている。【００２４】この書見板は、図２に示すようにその下部が蝶番状に工作されて折り畳み式になっている２枚の薄板片からできており、本の左右の表紙部分を載せる基板（２）とその表紙部分を上から押し挟む挟板（３）から構成されている。【００２５】図２に示すように、本のページ部分（２３）を閉じたまま表紙部分のみを開き、開いた左右の表紙部分（２２）を基板（２）の所定の位置に載せ、その本の表紙部分のみを挟板（３）で上から押し挟み、本のページ部分を挟板（３）の中央部に切開された凹部から抜き出す。【００２６】続いて、左右の表紙部分を挟んだ書見板（１）の蝶番部と反対側の部分を本を留めるための用具である本留め用クリッパー（５）を以って留めて、本を書見板（１）に固定することとし、本留め用クリッパーは市販の金属製事務用クリッパーを利用することも可能である。【００２７】もちろん、机上や膝上で読書するときは、本の表紙部分を書見板（１）に挟まずに、単に本を、書見板を支持板で下支えするための板（７）の上に載せてページ部分を留めるための用具であるページ留め用クリッパー（６）で本全体を含むページ部分を留めるのみで読書することも可能であり、ページ留め用クリッパーは、市販の大きめなプラスチック製の洗濯バサミなどを利用することも可能である。【００２８】挟板（３）の上で開かれた本のページ部分の左右や上部あるいは下部をページ留め用クリッパー（６）で書見板（１）に留め、見開きしたページ部分が閉じられないようにする。【００２９】図９（正面図）、図１０（平面図）、図１１（右側面図）及び図１２（背面図）に基づき図８（斜視図）に示した請求項１記載の書見板台（１０）を作る。【００３０】図８に示すように、書見板台（１０）の底板（１２）の先方及び書見板台（１０）の背板の下方には、膝上で読書するときに足組みした片脚が入る底板の空間（１４）が、又、底板（１２）の手前には、膝上で読書するときの胸腹部や仰臥して読書するときの顎が入れられる湾曲した空間（１５）が設けられている。【００３１】書見板台（１０）の下部の左右に角棒状に設けられた書見板台の脚部（１６）の構造は、膝上で読書したり仰臥して読書するとき、書見板台の左右の両脚部の出っ張り凸部分と両脚部間の凹み部分を以って、凸面状に丸みを帯びた膝や胸を包み込むようにして膝部や胸部の上に安定的に汎用書見台を置けるような形状をなしている。【００３２】図１、図１３、図１４に示すように、机上や膝上で読書するときは、書見板（１）の背面を書見板台（１０）の柱状部の前面に凭れ掛けて、書見板（１）を書見板台の底板（１２）の上に載置し、目に最も楽な視角度に保つための用具である書見板の前滑りを止める山（１３）選んで書見板（１）の前滑りを止められるようになっている。
【実施例１】
【００３３】図７は、本を装着した書見板（１）の右側面図であり、本の表紙部分（２２）が基板（２）と挟板（３）との間に挟まれ、挟板の中央においてＵ字状に切開された凹部から引き出された本のページ部分（２３）が挟板の上で左右に開かれて、ページを留めるための用具であるページ留め用クリッパー（６）で書見板に留められている図である。
【実施例２】
【００３４】図１は、机上や膝上で読書する際、本を装着した書見板（１）を書見板台（１０）に載せたときの汎用書見台の斜視図である。
【実施例３】
【００３５】図１３は、書見板（１）を載置した書見板台（１０）をもって足組みした片脚を包み込んで膝の上で読書するときの右側面図である。
【実施例４】
【００３６】図１４は、上体を大きく後ろに背もたれ（リクライニング）して読書する際、目と書見板（本の紙面）との間の距離を縮めるため、書見板を下から支える支持板（１８）を前へ倒し、書見板の裏のフック棒（９）を支持板の上部へ引っ掛けて書見板を支え、書見板を手前へ進めて読書するときの右側面図である。【００３７】机上や膝上で読書するときに、腰掛ける姿勢に応じて書見板の前滑りを止めるための用具である書見板の前滑りを止める山（１３）を適宜選択して書見板（１）の背面を書見板台（１０）の柱状部の前面に凭れ掛けて、書見板台（１０）の上に載置して書見板（１）の傾斜角度を変えたり、膝上での汎用書見台の位置やその傾斜角度を変えたりできるので、一番楽な姿勢と視角度で読書をすることができる。
【実施例５】
【００３８】図１５は、枕上で、書見板の蝶番部（符号４の粘着テープが貼られた部分）を書見板台（１０）の左右の柱状部の上に穿設された書見板の下部が挿入される溝（１７）に挿入し、書見板と書見板台とが一体となった汎用書見台を胸の上に載せて仰臥して読書するときの汎用書見台の右側面図であり、図１６はその正面図である。
【実施例６】
【００３９】図１７は、枕上で、右向きに横臥して読書するときの汎用書見台の右側面図で、図１８はその正面図である。【００４０】右向きに横臥して読書するときは、書見板台（１０）を枕上の右側の畳や床の上に置き、書見板（１）を右へ横倒しして、その右側面を書見板台の底板（１２）の上に載置して、書見板（１）の背面を書見板台（１０）の左右の柱状部の前面に凭れ掛けて、書見板を支持板に固定する書見板留め用クリッパー（２４）で支持板に固定して読書する。【００４１】左向きに横臥して読書するときは、書見板台を枕上の左側の畳や床の上に置き、書見板（１）を左へ横倒しして、その左側面を書見板台の底板（１２）の上に載置して、書見板（１）の背面を書見板台（１０）の左右の柱状部の前面に凭れ掛けて、書見板を支持板に固定する書見板留め用クリッパー（２４）で支持板に固定して読書する。（その図面は、前記実施例６の図１７及び図１８と左右が対称となる。）。【００４２】もちろん、横臥のときは書見板台（１０）を使わず書見板（１）のみを手で操り支えて読書することもでき、また、伏臥して読むときは書見板（１）のみを枕元の畳みや床などの上に置いて書見することも可能となる。
【図面の簡単な説明】
【００４３】
【図１】書見板を書見板台に載せた状態の汎用書見台の斜視図（机上や膝上で読書するときの図）
【図２】書見板の斜視図（本を装着する過程の図）
【図３】書見板の正面図
【図４】書見板の平面図
【図５】書見板の右側面図
【図６】書見板の背面図
【図７】本を装着した書見板の右側面図
【図８】書見板台の斜視図
【図９】書見板台の正面図
【図１０】書見板台の平面図
【図１１】書見板台の右側面図
【図１２】書見板台の背面図
【図１３】膝上で読書するときの汎用書見台の右側面図
【図１４】姿勢をリクライニングして膝上で読書するときの汎用書見台の右側面図
【図１５】仰臥して読書するときの汎用書見台の右側面図
【図１６】仰臥して読書するときの汎用書見台の正面図
【図１７】右向きに横臥して読書するときの汎用書見台の右側面図
【図１８】右向きに横臥して読書するときの汎用書見台の正面図
【符号の説明】
【００４４】１  書見板２  基板３  挟板４  基板と挟板とをその下部で蝶番状に留める粘着テープ（基板と挟板とはその下部の接合部を基点にし、その上部で自在に開閉する。）５  本留め用クリッパー６  ページ留め用クリッパー ７  仰臥して読書するときに書見板を支持板で下支えするための板（これは、机上や膝上で読書するときは、本の表紙を書見板に挟まずに、単に本をこの板の上に載せて読書することも可能にする機能も兼ねている。）８  仰臥して読書するときに書見板の下部を書見板台で下支えするための板９  手前に倒した支持板の上部に書見板を引っ掛けるためのフック棒１０  書見板台１１  スライド式の筆記台１２  書見板台の底板１３  机上や膝上で読書するときに書見板の傾斜角度を調節するために書見板の前滑りを止める山１４  膝上で足組みして読書するときに組み上げた脚が入る底板の空間１５  仰臥して読書するときに顎が入る底板の空間１６  書見板台の脚部１７  仰臥して読書するときに書見板の下部（符号４の粘着テープが貼られた脚部）が挿入される溝１８  仰臥して読書するときに書見板を下から支える支持板。（これは、横臥して読書するときには、横倒しされた書見板を書見板台に固定したり、膝上で読書する際、書見板を手前へ移動するときに書見板を支える機能も兼ねる。）１９  支持板を下止めする板２０  支持板を書見板台の本体に留める丸棒（以下「留め丸棒」という。）２１  回転する支持板と留め丸棒を繋ぐジョイント部２２  本の表紙部分２３  本のページ部分２４  横臥して読書するときに書見板を支持板に固定する書見板留め用クリッパー 
【図１】
0004222987.tif 000002
【図２】
0004222987.tif 000003
【図３】
0004222987.tif 000004
【図４】
0004222987.tif 000005
【図５】
0004222987.tif 000006
【図６】
0004222987.tif 000007
【図７】
0004222987.tif 000008
【図８】
0004222987.tif 000009
【図９】
0004222987.tif 000010
【図１０】
0004222987.tif 000011
【図１１】
0004222987.tif 000012
【図１２】
0004222987.tif 000013
【図１３】
0004222987.tif 000014
【図１４】
0004222987.tif 000015
【図１５】
0004222987.tif 000016
【図１６】
0004222987.tif 000017
【図１７】
0004222987.tif 000018
【図１８】
0004222987.tif 000019